(57)【要約】【課題】非接触ＩＣカードと非接触ＩＣカードリーダーライターとの無線通信阻害要因の解消及び静電気による非接触ＩＣカードリーダーライターへの障害を解決することを課題とする。【解決手段】本発明は、軟磁性体と樹脂からなる柔軟性に富み、衝撃に強いシート上のコア材として、一方の面に静電気を中和する用紙を配置し、他方の面には用紙を配置した層構成である。この層構成により、軟磁性材体が無線通信阻害要因を排除し、静電気を中和する用紙により静電気障害を排除するものである。【選択図】図３
2007203503.tif 000002
【特許請求の範囲】
【請求項１】
軟磁性体と樹脂からなる柔軟性に富み、衝撃に強いシート上のコア材と、前記コア材の一方の面に静電気を中和する用紙を、前記コア材の他方の面に用紙を備えることを特徴とする非接触ＩＣカード用無線通信安定化媒体
【請求項２】
軟磁性体と樹脂からなる柔軟性に富み、衝撃に強いシート上のコア材に両側に用紙を備えることを特徴とする非接触ＩＣカード用無線通信安定化媒体
r 2セ8c;
【発明の詳細な説明】
【技術分野】
【０００１】
本発明は、非接触ＩＣカード利用者が非接触ＩＣカードを財布等に挿入している場合において、非接触ＩＣカードと非接触ＩＣカード用リーダーライターへの無線通信を安定化させる機能と共に、静電気が帯電した財布等よりの静電気の放電による非接触ＩＣカード用リーダーライターへの静電気障害を排除する機能を有する媒体に関するものである。
【従来の技術】
【０００２】
近年、鉄道改札分野、金融決済分野及び身分証明書分野等で普及している非接触ＩＣカードシステムは、アンテナコイルとＩＣチップとを内蔵した非接触ＩＣカードと対応する非接触ＩＣカード用リーダーライター間の情報交換を電磁波による無線通信で行うものである。
特許文献１には、非接触ＩＣカードシステムが情報交換を電磁波による無線通信で行うことから、スキミングが容易とのことで、スキミングの防止を図る目的の電磁遮蔽物を財布の中に入れる考案が紹介されている。
しかしながら、非接触ＩＣカードシステムの非接触ＩＣカード用リーダーライターから非接触ＩＣカードへの活性化手順は、定められた手順であること。さらに、無線通信で情報交換するデータ等は、暗号化されている等の理由によりスキミングは困難である。
【０００３】
スキミングよりも非接触ＩＣカードと非接触ＩＣカード用リーダーライターとの無線通信阻害要因を排除し、無線通信を安定化させる方法の潜在ニーズが高いと推測する。
さらに、非接触ＩＣカード利用者が、非接触ＩＣカードを挿入している財布等の材質が、塩化ビニール等の静電気が帯電しやすいものである場合には、乾燥した冬場等では、非接触ＩＣカード用リーダーライターに放電し、非接触ＩＣカード用リーダーライターに静電気による障害を起こす可能性がある。
以下に、非接触鉄道改札券システムを例として、非接触鉄道改札券と非接触鉄道改札機間の無線通信阻害要因及び非接触鉄道改札機への静電気による障害を説明する。
【０００４】
非接触鉄道改札券利用者の保有するカードケース、札入れ、コインケース及びＰＡＳＳケースを兼用している財布等では、コインケースにコインが多量に収納している場合には、コインが金属であるが故に電磁波を遮断するため、非接触鉄道改札券と非接触鉄道改札機間の電磁波による無線通信を阻害する。
【０００５】
また、交通事業者では、磁気カードのプリペイドカードを採用している。このプリペイドカードは、ポリエステルフィルムの片面に磁気記録材料を全面コーティングし、さらに、その上に使用履歴を表示するための金属蒸着層を形成しているものある。
また、流通業者において、顧客の固定化を図る目的で感熱リライトカードのポイントカードを発行しているため、感熱リライトポイントカードが普及している。
感熱リライトカードは、視認性向上を図る目的でアルミ等の金属蒸着面の上に感熱リライト層を形成している。
非接触鉄道改札券利用者の前記財布等の中には、前記プリペイドカードも前記感熱リライトカードも挿入している場合が多いため、前記プリペイドカード及び前記感熱リライトカードの金属蒸着面も、非接触鉄道改札券と非接触鉄道改札機間の電磁波による無線通信を阻害する。
【０００６】
以上の非接触鉄道改札券と非接触鉄道改札機間の無線通信阻害要因により、非接触鉄道改札券利用者が、非接触鉄道改札機利用時に非接触鉄道改札機のゲートが閉まり通過できないことになる。このため、非接触鉄道改札券利用者が不快感を抱くと共に、特に混雑時には、非接触鉄道改札券システムのスムーズな運用の支障となる。
【０００７】
さらに、非接触鉄道改札券利用者の前記財布の材質が、塩化ビニール等の静電気が帯電し易い材質である場合には、冬等の乾燥時期に財布等自体に静電気が帯電し、非接触鉄道改札機に放電し、非接触鉄道改札機に様々な静電気障害が発生する。
【０００８】
【特許文献１】実用新案登録第３１１３１３７号公報
【０００９】
【発明の開示】
【発明が解決しようとする課題】
【００１０】
そこで、本発明は、非接触ＩＣカードと非接触ＩＣカード用リーダーライターとの非接触通信阻害要因の解消及び非接触ＩＣカード用リーダーライターへの静電気障害を解消するための非接触ＩＣカード無線通信安定化媒体を提供することを課題とする。
【課題を解決するための手段】
【００１１】
本発明の第１の態様は、軟磁性体と樹脂からなる柔軟性に富み、衝撃に強いシート上のコア材と、前記コア材の一方の面に静電気を中和する用紙を、前記コア材の他方の面に用紙を備えることを特徴とする非接触ＩＣカード用無線通信安定化媒体
【００１２】
本発明の第２の態様は、軟磁性体と樹脂からなる柔軟性に富み、衝撃に強いシート上のコア材に両側に用紙を配置した層構成を備えることを特徴とする非接触ＩＣカード用無線通信安定化媒体である。
【発明の効果】
【００１３】
本発明の非接触ＩＣカード用無線通信安定化媒体は、コア材の軟磁性体により無線通信阻害要因の影響を排除可能となるため、非接触ＩＣカードと非接触ＩＣカード用リーダーライター間の無線通信が安定させる効果がある。
さらに、非接触ＩＣカード利用者の帯電し易い材質による財布等の運用では、非接触ＩＣカード用無線通信安定化媒体の静電気を中和する用紙により、帯電し易い材質による財布等自体の静電気を放電するため、非接触ＩＣカード用リーダーライターへの静電気障害を防止する効果がある。
さらに、本発明の非接触ＩＣカード用無線通信安定化媒体には、例えば、路線図、時刻表等の目視可能情報も印刷可能であるため、非接触ＩＣカード利用者の利便性を向上させる効果がある。
【発明を実施するための最良の形態】
【００１４】
以下に本発明の実施形態について説明する。
図１は、本発明の非接触ＩＣカード用無線通信安定化媒体１の層構成図である。軟磁性体と樹脂からなる柔軟性に富み、衝撃に強いシート上のコア材２に静電気を中和する用紙３を配置し、他方の面には用紙４を配置した層構成を示している。
なお、静電気を中和する用紙３及び用紙４の表面には、時刻表等の目視可能情報等５を印刷することが可能である。
【００１５】
非接触ＩＣカード用無線通信安定化媒体１の無線通信阻害要因排除方法と静電気障害発生防止方法について説明する。
非接触ＩＣカード６と非接触ＩＣカード用リーダーライター７と無線通信の際に、非接触ＩＣカード６の背面に金属物体があると、非接触ＩＣカード用リーダーライター７のアンテナに発生する磁束が金属物体を貫通すると、ファラディの法則により磁束を軸とした渦電流が金属物体表面に流れる。
この渦電流の回転方向は、非接触ＩＣカード用リーダーライター７のアンテナに発生する交流磁界（搬送波）の磁極方向と反対方向の磁界（反磁界）を生み出す方向に流れる。
即ち、非接触ＩＣカード用リーダーライター７より、非接触ＩＣカード６に電力を供給する搬送波と、その上に重ねられた情報を搬送する変調データ信号のすべてが、金属物体表面に誘起された反磁界に打ち消され、大きく減衰する。
現在、鉄道改札分野及び金融決済分野等で普及している非接触ＩＣカード６は、電池をもたないパッシブ型であるため、十分な搬送波が非接触ＩＣカード用リーダーライター７より届かなければ、起電力が生じないため、受信感度が著しく低下する。即ち、非接触ＩＣカード６は動作しないことになる。
このため、フェライト等の軟磁性体が、非接触ＩＣカード６と金属物体との間に挿入されると非接触ＩＣカード用リーダーライター７よりの磁束が軟磁性体の中を通過するため、背面の金属物体表面には渦電流が生じないため、渦電流による反磁束の影響を排除することが可能になる。
コイン８が、軟磁性体の背面に配置すれば、非接触ＩＣカード用リーダーライター７よりの搬送波が軟磁性体の中を通過するため、コイン８の金属の影響を排除することが可能になる
さらに、プリペイドカード９及び感熱リライトカード１０が、軟磁性体の背面に配置すれば、非接触ＩＣカード用リーダーライター７よりの搬送波が軟磁性体の中を通過するため、プリペイドカード９及び感熱リライトカード１０の金属蒸着面の影響を排除することが可能になる。
また、静電気を中和する用紙３は、炭素繊維の短繊維を用紙の表面に多数突出しているため、炭素繊維の先端からコロナ放電して静電気を中和するのもである。
仮に静電気の帯電した物体が、プラスに帯電していた場合には、この静電気エネルギーを利用して、炭素繊維にはマイナスに帯電し、コロナ放電により放出され、プラスに帯電した物体の電荷と結合して、静電気を中和することで静電気障害の発生を防止する。
したがって、財布等１１が、塩化ビニール等の材質でも帯電しなくなり、非接触ＩＣカードリーダーライター７への静電気障害を排除することが可能になる。
【００１６】
非接触ＩＣカード用無線通信安定化媒体１の製造方法としては、軟磁性材料と樹脂からなる柔軟性に富み、衝撃に強いシート状のコア材２の両面に公知の方法で粘着剤をコーティングして、他方の面に静電気を中和する用紙３を貼付し、上質紙からなる用紙４を貼付後、カードサイズに小切れ断裁して完成させた。
なお、軟磁性材料と樹脂からなる柔軟性に富み、衝撃に強いシート状のコア材２としては、ＴＤＫ製ＲＦＩＤシステム用磁気シート  ＴＤＫフレキシールド（登録商標）を採用している。また、静電気を中和する用紙３としては、東レ製静電気中和紙ソルディオン（登録商標）を採用している。
用紙４は、公知の上質紙を採用している。
【００１７】
図２は、本発明の非接触ＩＣカード用無線通信安定化媒体の利用形態例を示す図である。
非接触ＩＣカード利用者の保有するＰＡＳＳケース、コインケース、カードケース、札入れを兼用している財布１０を一例として図示している。
非接触ＩＣカード利用者は、ＰＡＳＳケースに非接触ＩＣカード６を外側として、その内側に非接触ＩＣカード用無線通信安定化媒体１を挿入する。非接触ＩＣカード用無線通信安定化媒体１の他方の面に無線通信阻害要因であるコイン８、プリペイドカード９及び感熱リライトカード１０等を配置する。
【００１８】
図３は、非接触鉄道改札券利用者が、非接触鉄道改札券１２と非接触鉄道改札機１３とを対抗して運用することにより、非接触ＩＣカード用無線通信安定化媒体１は、無線通信阻害要因を排除し、無線通信が安定することを模式的に説明する図である。
なお、実際に、財布等１１のＰＡＳＳケースに非接触鉄道改札券１２を外側として、その内側に非接触ＩＣカード用無線通信安定化媒体１を挿入し、さらに、非接触ＩＣカード用無線通信安定化媒体１の内側にコイン８、プリペイドカード９及び感熱リライトカード１０を挿入した状態で、非接触鉄道改札機１３のゲートが閉まることなく通過が可能であった。
【００１９】
本発明の非接触ＩＣカード用無線通信安定化媒体１は、前記の実施例拘泥することなく、実施可能である。
層構成では、軟磁性材料と樹脂からなる柔軟性に富み、衝撃に強いシート状のコア料２の両側に目視情報を印刷した静電気を中和する用紙３を配置しても良い。
また、無線通信阻害要因の影響を排除のみを目的とする場合は、軟磁性材料と樹脂からなる柔軟性に富み、衝撃に強いシート状のコア材２の両側に目視情報等５を印刷した用紙４を配置しても良い。
また、軟磁性材料と樹脂からなる柔軟性に富み、衝撃に強いシート状のコア材２を採用したが、フェライトフレークを粘着剤に混ぜて、用紙の両面に公知の方法でコーティングして得たコア材の片側に用紙４を貼付し、他方には静電気を中和する用紙３を貼付しても使も良い。
また、製造方法について、非接触ＩＣカード用無線通信安定化媒体１の製造方法としては、軟磁性材料と樹脂からなる柔軟性に富み、衝撃に強いシート状のコア料２の両面に公知の方法で粘着剤をコーティングして、他方の面に静電気を中和する用紙３を貼付し、用紙４を貼付後、カードサイズに小切れ断裁して完成させることを説明した。しかし、粘着剤に変えて、公知のドライラミネートにより接着しても良い。
また、非接触ＩＣカードシステムでの利用を前提に説明してきたが、ＲＦ−ＩＤ（Ｒａｄｉｏ  Ｆｒｅｑｅｎｃｅ−Ｉｄｅｎｔｉｆｉｃａｔｉｏｎ）タグシステムでの利用であってもかまわない。
【産業上の利用可能性】
【００２０】
本発明の非接触ＩＣカード用無線通信安定化媒体は、非接触鉄道改札システムを運用する鉄道事業者のノベルティとして利用が可能である。
さらに、本発明の非接触ＩＣカード用無線通信安定化媒体は、非接触ＩＣカード利用社員証若しくは学生証等での運用では、利用方法の説明書に使用することが可能である。
【図面の簡単な説明】
【００２１】
【図１】非接触ＩＣカード用無線通信安定化媒体の層構成図
【図２】非接触ＩＣカード用無線通信安定化媒体の利用形態の説明図
【図３】利用形態例として、非接触鉄道改札機での利用を示す模式図
【符号の説明】
【００２２】
１  ：非接触ＩＣカード用無線通信安定化媒体
２  ：軟磁性体と樹脂からなる柔軟性に富み、衝撃に強いシート上のコア材
３  ：静電気を中和する用紙
４  ：用紙
５  ：目視可能情報等
６  ：非接触ＩＣカード
７  ：非接触ＩＣカード用リーダーライター
８  ：コイン
９  ：プリペイドカード
１０  ：感熱リライトカード
１１  ：財布等
１２  ：非接触鉄道改札券
１３  ：非接触鉄道改札機
【図１】
2007203503.tif 000003
【図２】
2007203503.tif 000004
【図３】
2007203503.tif 000005